(57)【要約】【課題】建造物内部では空気の汚れによる入れ換えや、調湿、調温などをするために外部との換気ができる状態において、防塵、日光の当たりすぎ防止、遮熱、防水、夜間の外部への遮光、プライバシーの保護、防風などの機能があり、容易に設置できる板材、または板材を使用した集合体が求められている。【解決手段】建造物開口部の複数の支持部材間あるいは枠に用いられる通気貫通孔が一定間隔で複数設けられた板材であり、貫通孔の上部に建造物内部へ異物が入らなくできる遮蔽部を持ち、各々の遮蔽部より貫通孔内を通り板材の下部に繋がるつなぎを設けることで、外力にも強いルーバー板材を提供できる。さらに複数並列させた場合においても、つなぎを設けることによりそれぞれの板材を絡み防止できる。さらに、取り付け用軸と取り付け穴との組み合わせや、施工の簡略化にて容易に設置できることが好ましい。【選択図】    図１２
2006118157.tif 000002
【特許請求の範囲】
【請求項１】
建造物開口部の複数の支持部材間あるいは枠に用いられる、通気貫通孔が一定間隔で複数設けられた板材であり、貫通孔の上部に建造物内部へ異物が入らなくできる遮蔽部を持ち、各々の遮蔽部より貫通孔内を通り板材の下方に繋がるつなぎを設けたルーバー板材。
【請求項２】
板材の整列方向が略水平または、略垂直方向であることを特徴とする上記請求項１、２に記載のルーバー板材。
【請求項３】
網面に用いられることを特徴とする上記請求項１、２又は３記載のルーバー板材。
【発明の詳細な説明】
【技術分野】
【０００１】
本発明は、建造物外部との換気ができる状態を保ったうえ、建造物開口部（出入り口、通気口、戸、網戸、窓、ドア、通路の柱間など）から内部に異物が入らなくする遮蔽部を持つことにより、遮蔽部による防塵、日光の当たりすぎ防止、遮熱、防水、夜間の外部への遮光、プライバシーの保護、防風、などの機能が有る（場合によっては猫などの動物から網などの通風素材を守る場合もある）ルーバー板材、またはルーバー板材を使用した集合体に関するものである。
【背景技術】
【０００２】
建造物外部との換気ができる状態を保ったうえ、建造物内部に異物が入らなくする遮蔽部を持つ例として、異物が入らない方向に傾斜する斜面部を持つ板材の集合体の実施例が有り、通風もできる通風雨戸や、よろい戸、ルーバー網戸はあったが、建造物開口部の枠あるいは戸の規格違いや、建造物の歪等に起因する様々な大きさの設置場所に簡単に合わせて製作でき、既存の設備にも現場で柔軟に対応できるうえ、さらに、上下あるいは左右に複数並べた場合においても整列させることができる有効な実施例は見当たらない。
【０００３】
類似改善策として、模様付き鎧状網体として、傾斜片を複数並べて鎧状網体にする方法が知られている。
【０００４】
さらに、類似改善策として、網戸取り付け用ブラインドとして小さなブラインド主体を複数並べてよろい戸状にする方法が知られている。
【特許文献１】実開昭５１−１８４４３
【特許文献２】実開昭５９−３５５９４
【発明の開示】
【発明が解決しようとする課題】
【０００５】
解決しようとする問題点は、建造物内部では空気の汚れによる入れ換えや、調湿、調温などをするために外部との換気ができる状態にて、防塵、日光の当たりすぎ防止、遮熱、防水、夜間の外部への遮光、プライバシーの保護、防風、（場合によっては猫などの動物から網などの通風素材を守る場合もある）が求められている。
【０００６】
上記問題点を解決できる対策として通風雨戸や、よろい戸、ルーバー網戸はあるが既存の設備に合わない場合も有り、選定は思った以上に難しいうえ、設備は以外と高価である。
【０００７】
一方、一般的に支持部材間あるいは枠、建造物の窓等には、すでに網戸が取り付けられている場合や、後から取り付けできる様にあらかじめレールなどが付加されているサッシ枠体を使用される場合が有り、その窓等の寸法に縦枠と横枠を合わせ、網戸枠としてホームセンターなどで汎用対応品が販売されている。また、網戸の網材を交換する材料や道具なども販売されている。
【０００８】
そこで、建造物開口部の支持部材間あるいは枠、戸の規格違いや、建造物の歪等に起因する場合も含め、様々な大きさの異なる設置場所においても簡単に製作でき、既存の設備（網戸等）にも現場で柔軟に対応できる板材を提供する。さらに、上下に複数並べた場合においても容易に規則正しく整列させることができる板材、または板材を使用した集合体を提供することである。
【０００９】
さらに、複数のルーバー板材を使用して施工する際には、本発明者がつなぎの無い状態にて実施した際において、短冊状に長さを合わせたルーバー板材と他のルーバー板材とが（通気貫通孔と遮蔽部部）が絡んでしまうことがあり分離させるのには時間がかかり、場合によっては変形をさせてしまうといった問題が発生した。
【課題を解決するための手段】
【００１０】
ルーバー板材とは、建造物内部では空気の汚れによる入れ換えや、調湿、調温などをするために外部との換気ができる状態にて、防塵、日光の当たりすぎ防止、遮熱、防水、夜間の外部への遮光、プライバシーの保護、防風、（場合によっては猫などの動物から網などの通風素材を守る場合もある）ができる板材さらに、それらの板材を使用した集合体とする。
【００１１】
本発明にかかるルーバー板材においては、建造物開口部の複数の支持部材間あるいは枠に用いられる通気貫通孔が一定間隔で複数設けられた板材であり、貫通孔の上部に建造物内部へ異物が入らなくできる遮蔽部を持ち、各々の遮蔽部より貫通孔内を通り板材の下方に繋がるつなぎを設けたルーバー板材とし、取り付け面には振動やずれ防止のための柔らかい部材を使用しても良く、開口部が四角形ばかりでなく円形や異形の場合にも板材の長手を切断し対応できる。
【００１２】
また、本発明にかかるルーバー板材においては、板材を所定の長さに切断して、複数並列させ建造物開口部の支持部材間あるいは枠のサイズ、もしくは所望するサイズに応じた大きさに設定し板材基準面の左右または上下方向の一部を重ね合わせて複数整列させ、板材の基準面に設けられた取り付け用穴および組み合わせする板材基準面より、突出する凸部または止め具を通すことで複数の板材が相互固定して遮蔽板集合板体にできる板材とし、建造物開口部の全てに設置する場合や、庇の有無や、プライバシー保護の観点等により必要な部位（窓枠の下半分等）にのみ設置する場合もある。
【００１３】
また、本発明にかかるルーバー板材においては、板材を所定の長さに切断して、複数並列させ建造物開口部の支持部材間あるいは枠のサイズ、もしくは所望するサイズに応じた大きさに設定し板材基準面の左右または上下方向の一部を重ね合わせて複数整列させ、板材の基準面に相互に対応する板材の取り付け用穴に、組み合わせする凸部または、止め具の軸を着脱自由にすることで遮蔽板集合板体にでき、さらに再分解できることを特徴とする板材とし建造物開口部の全てに設置する場合も有る。さらに、庇の有無およびプライバシー保護の観点等により必要な部位にのみ設置する場合もある。さらに切断の際に補助となる目印を設ける場合もある。目印は印刷や、凹凸でつける。また、外形の上下方向に突起と切り欠きなどにより凹凸を設けて勘合させる場合や厚み方向にも凹凸にて勘合させる場合も有り、勘合を圧入とし集合体を安定させる場合もある。
【００１４】
また、本発明にかかるルーバー板材においては、板材の整列方向が略水平または、略垂直方向であることを特徴とする上記請求項１記載のルーバー板材とし、重ね合わせる際には建造物開口部の全てに設置する場合や、庇の有無や、プライバシー保護の観点等により必要な部位にのみ設置する場合もある。また、取り付け穴または、抜け止め機能の有る孔は、板材の上下左右のどこでも良いし、重ねる順序も設定により異なる場合も可能である。
【００１５】
また、本発明にかかるルーバー板材においては、網面に用いられ、網材をはさみ網戸と一体となって固定できることを特徴とする上記請求項１、２記載のルーバー板材とし、さらに通風材を間にはさむ場合もあり、通風材としては、各種金属、樹脂、多層材などがあり、形態としては網、繊維、織物、多孔シート、多孔板などがある。蒸気を通すが水を通さないなど透過の程度も自由に設定できる。また、好みの色を使用することで内部の色設定をかえられる。さらに、遮蔽部は網面の屋外面ばかりでなく、内部に干渉しなければ室内面に設定すれば屋外に突出部が無くなり外観をすっきりできる。また、屋外においては接触による出血等の危険を防止でき、場合によっては風鳴り音も押さえられる。
【００１６】
また、本発明にかかるルーバー板材においては、板材を所定の長さに切断して供給する場合には、板材の生産時あるいは、設置条件に合う所定の長さに工場などにて前もって切断する。あるいは、板材を巻き込んだリールにてフープ供給する場合には、既存設備の所定の長さに合わせて現場などで切断する。
【００１７】
また、本発明にかかるルーバー板材においては、板材の材質は、木、竹などの天然素材のほか、アルミ合金やステンレス合金等の金属、樹脂、セラミック等（透ける材質の場合も有る）の人工素材が挙げられる。この場合プレス加工によって、抜き、切り込み、曲げ、絞り、打ち出し、潰しを組み合わせて板材より形成することができる。また射出成形によっても形成することができる。さらに、それらを複合する場合もある。さらに、最突出部にはバリが出ない設定が良い。端部に折り曲げ部あるいは、丸みを設ける場合もある。また、安全のため最突部および、切断面にカバーを設けても良い。
【００１８】
また、本発明にかかるルーバー板材においては、既存の網戸に用いる場合はなるべく軽量になる様に板材を薄く設定し、網戸の負担を軽減することが望まれる。素材は、アルミ合金等の軽合金、ステンレス合金などの金属、および樹脂（補強材を含む場合も有る）など均一で強度の有る素材を使用する場合が考えられる。また、板材を薄く丈夫にするためにビートなどを設けて補強できる。
さらに、板材には、風雨などの影響を受けにくい形状が望まれる。特に二階以上の落下の危険がある場所では市販のはずれ防止具や、ボルト等による固定による落下防止策が望まれる。さらに、ボルト等による固定や、鍵をつけるなど網戸を開かない様にすれば猫などの動物から網などの通気材を守ると共に、出入りされることがない。
【００１９】
また、本発明にかかるルーバー板材においては、固定に使用する抜け止め機能の有る孔の一例として、板材が弾性部材の場合には板材に止め具と同等か少し小さめの孔を開け軸や、孔の周囲を変形させる。あるいは孔の周囲を切り起こし、あるいは曲げおよび、潰しにより止め具に圧接するはめ合いにする。板材が弾性を持たない場合には、別部品としてナット（回り止め機能を設けても良い）もしくは、上記の弾性部材の機能を持つ部材を用いることで、抜け止め機能の有る孔とすることができる。
板材と別の部材とは接着（両面テープ、ボンドなど）溶着、インサート、圧入などにより一体化すれば作業性を良くでき好ましい。（網などに取り付ける場合は、傷むのを防止するためワッシャなどを用い、タッピングボルトなどを使用しても良い）
【００２０】
固定に使用する止め具として使用する軸は、各種ボルト、フランジつきピン、鋲、（軸に凹凸等を設けて抜け止め機能を設けても良い）を利用しても良い。ボルトは挿入には単に押し込むだけで済み、はずす場合は緩む方向に回転させれば網目に傷をつけにくくできる。さらにフランジ部構成部材を密着させる（フランジ部が軸を引っ張るスプリング機能を設けても良い）ことが好ましい。さらに、止め具として使用する軸と、取り付け穴を長円等の形状と勘合の組み合わせ等にて、止め具の軸を着脱自由となることもできる。
【００２１】
通風材や網に貫通して板材の抜け止め機能の有る孔に固定する場合には通気素材や網目を傷めない大きさでありながら、簡単に貫通できる先端が尖っている軸が望ましい。
また、網の張替えを個人が施工した場合に縦横の網線がうまく垂直、水平にならなくなり歪んだ状態になっても本発明を外観に実施の際は、板材によって覆われるため歪みを目立たなくできる。
【００２２】
板材の所定の間隔にて取り付け穴を設けた縦または、横部材と板材を上下または左右方向に複数並列して重ね合わせ、互いに合致する取り付け穴または、抜け止め機能の有る孔と止め具の軸を通し、圧接するはめ合いにすることからなる遮蔽板集合体として強度が十分になる場合には、縦または、横支持部材と遮蔽板集合体との組み合わせにて取り付けを簡単にできる。
【００２３】
また、縦、横方向に幅広の板材を使って板材を複数の段を並べた様に見える多段連続遮蔽板状態に一体化することで板材の取り付け回数を少なくする設定にすることもできる。
【００２４】
上記の板材または板材を使用した集合体を設置した際に美観、安全性を高めるなどのために枠の上および板材の端部に、押さえ板（カバー）を設ける場合も有る。
【００２５】
各部材は、防錆、防腐、抗菌作用の有る材料が好ましい。
【００２６】
板材を複数並列させる場合は、板材の周囲に取り付け面が有るため板材の間をあける場合に板材の間隔の計測をすることで、整然と設置しやすくなる。
【００２７】
板材の所定の間隔にて目印が設定された板材を用い任意方向に複数並列させる際に、板材とそれぞれ適応する目印を合わせることにより、板材を規則正しく整列させ組み合わせて建造物開口部に取り付ける場合には、取り付けに高度な技能がいらないため容易に設置できる。
【００２８】
板材を複数並列して重ね合わせ、互いに合致する取り付け穴または、抜け止め機能の有る孔に止め具の軸を通すことのみで取り付けることができる。取り付けに高度な技能がいらないため建造物開口部に規則正しく組み合わせて容易に設置できる。板材の抜け止め機能の有る孔と貫通する止め具の軸を通すことにより板材どうしが密着固定して互いに補強することができる。さらにその場合は板を薄くすることもでき、軽量になるため運搬や設置を楽にできる。
【００２９】
枠および戸との間の通気材をはさみ、板材の抜け止め機能の有る孔と通気材を貫通する止め具の軸を通すことにより密着固定して互いに補強することで、容易にルーバー付きの防虫、目隠し枠、および戸に改装できる。なお、通気素材の色や透過の程度も自由に設定でき、場合によっては網を張る、光のみ透過するフイルムを張り断熱性を高めるなどの場合もあり冷暖房費を抑えられる。また、板材により猫などの動物、紫外線劣化、風化などから通気材を守ることができる。
【００３０】
また、板材にスリットまたは孔を設定した場合は、プレス生産時の絞り、または曲げ工程の際に生じる歪を分散させ、板材を割れにくくでき、成形を容易にする効果が有る。また、光および空気の通る量を設定する場合に有効であり、外部よりの日光の入る量を多くしても、夜間などに外部から内部が見える（プライバシーの保護）程度を少なくできる。さらに、スリットにて切断する際は切断量が少なくできるため軽い力にて切断でき、複数の板材を同じ長さにしたい場合に容易に切りそろえることができる。
【００３１】
また、板材を所定の長さに切断して供給する場合には、板材の生産時あるいは設置条件に合う所定の長さに工場などにて前もって切断することができ、生産性を高めることができる。板材を巻き込んだリールにてフープ供給する場合には、既存設備の所定の長さに合わせて現場などで切断することで事前に開口部のサイズを測らなくても良いうえ、板材の無駄を無くして必要な分だけを使用できるうえ、材料の運搬も楽にできる。
【００３２】
また、板材の遮蔽部より貫通孔内を通り板材の下部に繋がるつなぎを設けた場合につなぎによって下部に向かって水が伝って流れるためスムーズに排水できる場合がある。
【発明の効果】
【００３３】
本発明によって建造物外部との換気ができる状態を保ったうえ、建造物開口部から内部に異物が入らなくする遮蔽部による防塵、日光の当たりすぎ防止、遮熱、防水、夜間の外部への遮光、プライバシーの保護、防風、などができるうえ、つなぎを設けたことにより遮蔽部の風雨や運搬時等の外力による変形を減らすことができる。
【００３４】
さらに、複数のルーバー板材を使用して施工する際には、本発明者がつなぎの無い状態にて実施した際に、短冊状に長さを合わせたルーバー板材と他のルーバー板材とが通気貫通孔と遮蔽部が絡んでしまうことがあり分離させるのには時間がかかり、場合によっては変形をさせてしまうといった問題を発生したが、つなぎを設けたことにより絡みを減らすことができるため施工、運搬などを容易にでき施工時間短縮や、梱包の簡素化などにより安価に提供できる。
【実施例１】
【００３５】
図１は、本発明実施時の、一例として板材の形態概要図である。
（ａ）は、板材１の正面図である。
板材１の上部に上部取り付け面２が有り、下部に下部取り付け面３が有り、建造物内部に異物が入らない方向に傾斜する斜面部４を持ち、遮蔽部としての斜面部4より下部に通風可能な貫通孔５もしくは、空間が有り、各々の斜面部4より貫通孔５内を通り板材１の下部に繋がるつなぎ１４を設けてあり、かつ板材１の長手方向の面に所定間隔に複数の取り付け穴７または、抜け止め機能の有る孔６を持つ板材である。
建造物内部に異物が入らない方向に傾斜する斜面部４は、板材１より、さん８を残し切り起こした形状である。
（ｂ）は、板材１の側面図である。
【実施例２】
【００３６】
図２は、本発明実施時の、一例として複数の板材を枠材に取り付け上下方向に複数並べた形態概要図である。
（ａ）は、上記の実施例１の板材１を上下方向に複数並列させた正面図である。
複数の板材には取り付け間隔９を設けてある。
（ｂ）は、（ａ）の側面図である。
枠材１２に設けた枠材貫通孔１３に板材１を当て、枠材貫通孔１３および抜け止め機能の有る孔６とが互いに合致する状態に位置を合わせ、フランジ付き止め具１０の軸１１を挿入して取り付けする。さらに、上部取り付け面２に、所定間隔に複数の横長抜け止め機能の有る孔１８と縦長抜け止め機能の有る孔１９を設けてある。
【実施例３】
【００３７】
図３は、本発明実施時の、一例として幅の広い板材の概要図である。
（ａ）は、上記の実施例１の板材１の遮蔽部としての斜面部４に目印１５を設けてある。
さらにさん８には長手方向に切断する際の補助となる等間隔にスリット１６を設けてあり、目印１５あるいはスリット１６の位置にて切断することで複数の板材を一定の長さに切断する目安にできる正面図である。
（ｂ）は、（ａ）の側面図である。
また、板材１のスリット１６の部分で切断すれば切断量が少なくできるため軽い力にて切断でき、同じ長さにしたい場合には容易にそろえることができる。
【実施例４】
【００３８】
図４は、本発明実施時の、一例として板材の遮蔽部としての斜面部を縦方向に連続形成した概要図である。
（ａ）は、板材１の左に、左側取り付け面が有り所定間隔に複数の取り付け穴７を有している。さらに、中央面に所定間隔に複数の横長抜け止め機能の有る孔１８と縦長抜け止め機能の有る孔１９を設けてあり、複数の横長抜け止め機能の有る孔１８と縦長抜け止め機能の有る孔１９の間には所定間隔に複数の建造物内部に異物が入らない方向に傾斜する斜面部４を持ち、遮蔽部としての斜面部4より下部に通風可能な貫通孔５が有り、各々の斜面部4より貫通孔５内を通り板材１の下部に繋がるつなぎ１４を設けてある。
さらに、右側取り付け面には所定間隔に複数の抜け止め機能の有る孔６を持つ板材である。
また、遮蔽部としての斜面部４の下部に複数の採光穴２０を設けている。
（ｂ）は、（ａ）の側面図である。
【実施例５】
【００３９】
図５は、本発明実施時の、一例として複数の板材を並べ重ね合わせる断面概要図である。
（ａ）は、本発明実施時の、一例として複数の板材の一部を重ね合わせる断面概要図である。最上板材１の下部取り付け面３に、その下の板材１の上部取り付け面２を重ね合わせ、それを繰り返す参考図である。上記の実施例１の板材１を上から下に３枚並べてあり、枠材１２の枠材貫通穴１３に取り付ける配列順序参考図である。
（ｂ）は、組み合わせ断面概要図である。
上からそれぞれ順番に枠材１２の枠材貫通穴１３と板材の取り付け穴７または、抜け止め機能の有る孔６を持つ板材１と合致する様にフランジ付き止め具１０の軸１１を挿入して取り付けする。
また、この図の様に枠材貫通穴１３にヌスミの面取りをし、フランジ付き止め具１０の逃げを設けることで内側にガラス窓が有る場合に接触することを防げる。
【実施例６】
【００４０】
図６は、本発明実施時の、一例として複数の板材を重ね合わせる断面概要図である。
さらフランジ付きボルト止め具１０に合うタップを、枠材１２に設けてあり、ドライバー等にてねじ込み、固定してある。そのボルト軸１１を２枚の重ね合わせた板材１の取り付け穴７および、抜け止め機能の有る孔６に挿入して取り付けする。なお、ボルト軸１１は、抜け止め機能の有る孔６に圧入でき、弾性限界を超えない範囲が好ましい。
また、この場合ボルト挿入時には、押し込みするのみで取り付け可能だが、はずす場合には無理抜きしなくても、フランジ付きボルト止め具１０を緩む方向に回転させることでできるため取り付け直しも容易である。
【実施例７】
【００４１】
図７は、本発明実施時の、一例として複数の板材と通気材と枠材とを、重ね合わせる断面概要図である。
（ａ）は、本発明実施時の、一例として複数の板材を重ね合わせる断面概要図である。
上記の実施例１の板材１を下から上に３枚並べてあり、最上板材１の下部取り付け面３に、その下の板材の上部取り付け面２を重ね合わせ、それを繰り返す参考図である。さらに、通気材２１をはさみ、枠材１２の枠材貫通穴１３に取り付ける配列順序参考図である。
（ｂ）は、組み合わせ断面概要図である。
上からそれぞれ順番に通気材２１をはさんで、枠材１２の枠材貫通穴１３と板材１の取り付け穴７または、抜け止め機能の有る孔６を持つ板材１と合致する様にフランジ付き止め具１０の軸１１を挿入して取り付けする。
また、この図の様に軸１１の先端を尖らせると挿入が容易になり、軸１１に凹凸をつけると抜け止め性が高くなる。
【実施例８】
【００４２】
図８は、本発明実施時の、一例として一般に普及している網戸の網に複数の板材を並べ一部を重ね合わせた概要図である。
（ａ）は、網戸の網に複数の板材を並べ重ね合わせた正面図である。
上記の実施例１の板材１を上から下に３枚並べてあり、枠材１２に網材押さえ樹脂２２によって張られた網材２３に抜け止め機能の有る孔６の所々の要所に貫通するフランジ付き止め具１０の軸１１を挿入してはさみ取り付けられている。さらに、取り付け面には板材１を支持部材または、枠、網面に固定する際に使用する長穴１７が設けている。
（ｂ）は、（ａ）の組み合わせ断面概要図である。
枠材１２に溝用網材押さえ樹脂２２により張られた網材２３をはさんで、網目と、抜け止め機能の有る孔６を持つ板材１と合致する様にフランジ付き止め具１０の軸１１を挿入して取り付けする。
また、この図の様に軸１１の先端を尖らせると挿入が容易になる。
なお、板材を支持部材または、枠、網面に固定する前に複数の板材を使って遮蔽板集合体にしてもよい。この場合は、板材にステンレスを使用し、網材に樹脂を使用する組み合わせにおいては、一般に対候性はステンレスの方が良いので、網材の樹脂が劣化して張替えを要しても遮蔽板集合体は使用可能な場合があり、網材の張替え後にそのまま再使用できる場合がある。
【実施例９】
【００４３】
図９は、本発明実施時の、一例として板材の遮蔽部としての斜面部を縦方向に連続形成した概要図である。
（ａ）は、板材の正面図である。
板材１の左に、左側取り付け面が有り所定間隔に複数の突出部２４を有している。板材１の中央部に所定間隔に複数の建造物内部に異物が入らない方向に傾斜する斜面部４を持ち、斜面部4により下部に通風可能な貫通孔５もしくは、空間が有り、各々の斜面部4より貫通孔５内を通り板材１の下部に繋がるつなぎ１４を設けてある。さらに、板材１の右側取り付け面には所定間隔に複数の抜け止め機能の有る孔６を持つ板材である。
（ｂ）は、（ａ）の側面図である。
（Ｃ）は、（ａ）の下面図である。
なお、複数の突出部２４と複数の抜け止め機能の有る孔６は、長手方向間隔および相互間隔を等間隔の設定にして、突出部２４を抜け止め機能の有る孔６よりも大きくして圧入することで、横方向に複数の板材１を並べ重ね合わせ固定できる。また、突出部２４は絞り成形または、ゴムや、樹脂、金属などの部材にて設ける場合もある。
【実施例１０】
【００４４】
図１０は、本発明実施時の、一例として実施例９の複数の板材を並べ重ね合わせた概要図である。
（ａ）は、複数の板材を横方向に並べた正面図である。
板材１の上部を切断などにて揃え、所定間隔に複数の突出部２４と所定間隔に複数の抜け止め機能の有る孔６は等間隔の設定にして、突出部２４を抜け止め機能の有る孔６よりも大きくして圧入することで、横方向に複数の板材１を並べ重ね合わせ固定してある。下部は図中には明記されてはいないが枠材１２のサイズに応じた大きさに設定してある。
（ｂ）は、（ａ）の断面概要図である。
上記（ａ）にて板材１を遮蔽板集合体とし、枠材１２に固定する参考図である。
なお、枠材１２にあらかじめ設けられた枠材貫通穴１３は抜け止め機能の有る孔６と等間隔の設定にしてあり、枠材貫通穴１３よりフランジ付き止め具１０の軸１１を圧入して取り付けすることができる。また、枠材貫通穴１３は、軸１１より大きい穴にすれば作業が楽にできる。
【実施例１１】
【００４５】
図１１は、本発明実施時の、一例としてステンレス（銅合金も含む）金属帯材（ばね性有り）にてルーバー板材を生産する形状参考図である。
（ａ）は、板材に抜き工程、切り込み工程を施した概要図である。
板材１の左に、左側取り付け面が有り所定間隔に複数の取り付け穴７を有している。さらに、板材１の中央部取り付け面には所定間隔に複数に固定する際に使用する長穴１７が設けてあり、複数の長穴１７の間には所定間隔に複数の建造物内部に異物が入らない方向に傾斜する斜面部４となり、斜面部4より下部に通風可能な貫通孔もしくは、空間および、つなぎ１４を形成するための切り込み２５を設けてある。さらに、板材１の右側取り付け面には所定間隔に複数の抜け止め機能の有る孔６を設けてある。
なお、複数の切り込み２５によって、材料の無駄を無くしたうえ通気性を高めるため、斜面部4を多段（２段）にするために切り込み２５を内側用と外側用に施した例である。
（ｂ）は、（ａ）をプレス曲げ成形後の概要図である。
複数の切り込み２５を施した各々の切り込みの内形部を異物が入らない方向に傾斜する斜面部４を形成するプレス曲げをすると、板上部を基準に曲げによって展開が不足した分を、つなぎ１４が吸収部になることによって破断せずに変形し、切り込み２５が拡がることで複数の通気口２６を設けることができるとともに、異物が入らない方向に傾斜する斜面部４より通気口２６内を通り板材１に繋がるつなぎ１４を形成できる。
なお、この図のように横長抜け止め機能の有る孔１８と縦長抜け止め機能の有る孔１９および、複数の抜け止め機能の有る孔６として孔の周囲をそらせることで、抜け止め機能を高めることができる。
【実施例１２】
【００４６】
図１２は、本発明実施時の、一例として板材を網戸の網面に固定する参考図である。
（ａ）は、板材の組み合わせ時の斜視概要図である。
網戸の枠材１２に対応する長さに板材１を切断し、網材２３を接した状態にて裏よりフランジ付き止め具の軸１１を挿入して取り付けする。
なお、板材を所定の長さに切断して供給する場合には、板材の生産時あるいは、設置条件に合う所定の長さ２８にて工場などにて前もって切断しておく。板材を巻き込んだリール２７にてフープ供給する場合には、既存設備の所定の長さに合わせて現場などで切断する。
（ｂ）は、（ａ）の部分拡大概要図である。
板材１の上部に、抜け止め機能の有る孔６を持つ板材１と網材２３をはさんで、網目と板材１の抜け止め機能の有る孔６と合致する様に（フランジ付き）止め具１０の軸１１を挿入して取り付けする。また、できれば長手方向の両端は切断しやすい位置が望ましく、場合によっては、多数種類の取り付け間隔の違う板材の中から選択した方が良い場合がある。
【実施例１３】
【００４７】
図１３は、本発明者がつなぎの無い状態にて実施した際の形状参考図である。
（ａ）は、板材の正面概要図である。
板材１の左に、左側取り付け面が有り所定間隔に複数の取り付け穴７を有している。さらに、板材１の中央部取り付け面には所定間隔に複数の建造物内部に異物が入らない方向に傾斜する斜面部４を持ち、斜面部4により下部に通風可能な貫通孔５を設けてある。さらに、板材１の右側取り付け面には所定間隔に複数の孔の周囲が弾性変形することで抜け止め機能の有る孔６を設けてある。
なお、斜面部4の先には、安全のため丸みをつけてある。
（ｂ）は、（ａ）の中心線位置の断面概要であり、風雨を伴う場合のイメージ図である。
複数の雨粒２９が複数の板材１の異物が入らない方向に傾斜する斜面部４に当たり下方に集まることによってしずく３０が発生する。このしずく３０はある程度たまれば、大部分は流れ３１の方向に排水されるが、風雨のタイミングによっては一部が建造物内部に入る水３２となり、建造物内部を濡らしてしまう。
また、斜面部4の先に、安全のため丸みをつけたため、中央部にしずく３０が発生するが、このしずく３０は、通風可能な貫通孔５の中央部に出現するため、余計に建造物内部に入る水３２となると考えられる。さらに、下方斜面部は、上方斜面部の水の排水経路となるのでさらに条件が悪くなると考えられる。
なお、板材を所望する長さにて複数有る場合に、この形状の場合に板材１と他の板材１とがおもに、通気貫通孔と遮蔽部の部分にて絡んでしまうことがあり、分離させるのには時間がかかり、場合によっては変形をさせてしまうといった問題が発生した。
また、この形状の場合には製造は簡単であるが、斜面部４の先端部を保持していないので、風雨によって斜面部４が変形しやすいためある程度の厚みが必要である。
【実施例１４】
【００４８】
図１４は、上記実施例１３の不具合を補うための形状参考図である。
（ａ）は、板材の正面概要図である。
板材１の左に、左側取り付け面が有り所定間隔に複数の取り付け穴７を有している。さらに、板材１の中央部取り付け面には所定間隔に複数の建造物内部に異物が入らない方向に傾斜する斜面部４を持ち、各々の斜面部4により下部に通風可能な貫通孔５を設けてあり、貫通孔内を通り板材の下部に繋がるつなぎ１４を設けてある。さらに、板材１の右側取り付け面には所定間隔に複数の孔の周囲が弾性変形することで抜け止め機能の有る孔６を設けてある。
なお、斜面部4の先には、二股に分かれたつなぎを設定している。
（ｂ）は、（ａ）の中心線位置の断面概要であり、風雨を伴う場合のイメージ図である。
複数の雨粒２９が複数の板材１の異物が入らない方向に傾斜する斜面部４に当たり、つなぎ１４を伝って水が下方に伝って移動するので、大部分は流れ３１の方向に排水される。これによって水が滞留する部分が無くなったので風雨が多少強くなっても建造物内部に入る水を減らす事ができる。
さらに、この形状の場合にルーバー板材１と他のルーバー板材１とがつなぎ１４を有すことにより貫通孔５に斜面部４が絡んでしまうことを無くすことができる。
また、斜面部４の先端部につなぎ１４があるので外力による変形量を矯正できるため風雨による変形や風鳴り音を防ぐことができる場合がある。
【実施例１５】
【００４９】
図１５は、板材を網面におよび、組み合わせ固定する止め具の形状参考図例である。
（ａ）は、網材の正面概要図である。
網材２３には網目があり、横方向網目寸法３３と縦方向網目寸法３４の通気孔が、複数箇所に有りそれぞれの、ほぼ同一寸法にて横、縦の各方向に連続して形成されている。
なお、一般的に網戸用に用いられる網には、金属線や、樹脂などから製造され、その網目は、縦横の網目寸法が約１ｍｍ前後の製品が多いが、細目や粗目などのほか、図に示すとおり縦横の網目寸法が異なる製品もある。さらに、網戸に張り替える網材２３を素人が個人的に施工した場合には縦横の網目の間隔に曲りや、歪を生じることがある。  
（ｂ）は、（ａ）の網材の網目に板材をはさみ取り付ける止め具の形状参考図例である。
板厚３７の止め具１０は指で掴み易いように掴み代をもうけてあり、中央部分より上方へ突出する軸１１がある。軸幅３６は先端を挿入が楽にできるように細くしてあり、ストッパー３９までは太く、ストッパー３９より下は細くなっている。
さらに、軸１１の左右には、それぞれ反対方向に曲げた押さえ用接面部３５を設けている。
なお、押さえ用接面部３５は、接する部分を板厚３７より広くとって網目を傷めにくくしている。
さらに、止め具１０の弾性を利用する場合には、縮み代３８により圧接保持した状態にて固定できる。
なお、固定に使用する場合には、長穴にストッパー３９より深く挿入し、反時計回り４０に約９０度回転させる。その際の、長穴の少ない方の間隔は、軸１１のストッパー３９にしっかり係止できるように少し拡がる設定が好ましい。ただし、軸１１の太さは網目よりも小さくし回転しても網を傷めない設定が好ましい。
なお、図中の止め具１１は、金属板をプレス加工にて生産する例であるが、射出成形も可能であり、その場合は、図中の2箇所の押さえ用接面部をもっと増やす、あるいは、つないでしまうなどのアレンジが容易である。
【実施例１６】
【００５０】
図１６は、上記実施例１５の施工例として板材を網戸の網面に固定する参考図である。
（ａ）は、正面概要図である。
網材２３に、板材１を重ねてある。
板材１の左に、左側取り付け面が有り、取り付け穴７を有している。さらに、板材１の中央部取り付け面には固定する際に使用する長穴１７が設けてある。長穴１７の下には建造物内部に異物が入らない方向に傾斜する斜面部４を持ち、斜面部4により下部に通風可能な複数の通気口２６とつなぎ１４を形成している。さらに、板材１の右側取り付け面には抜け止め機能の有る孔６を設けてある。
板材１と網戸の網面に固定する際は、長穴１７に止め具１０より突出する軸１１を裏面より挿入して、反時計回りに約９０度回転させて係止し固定する。さらに、反時計回りに約９０度回転させて、止め具１０より突出する軸１１の係止をはずすことで、裏面より止め具１０の取り外しすることができ、止め具１０および板材１の着脱が可能である。
なお、取り付け穴７と、抜け止め機能の有る孔６はこの例では使用せずに、単に採光穴となっている。
（ｂ）は、（ａ）の板材と網戸の網面に固定した状態の断面概要図である。
板材１と、網材２３を、止め具１０の軸１１を挿入して反時計回りに約９０度回転させて係止し固定した状態である。
【産業上の利用可能性】
【００５１】
板材に撥水処理または光触媒処理を施した上記請求項１、２、３、４、又は５記載の板材、または板材を使用した集合体。
【図面の簡単な説明】
【００５２】
【図１】板材の実施方法を示した説明図である。（実施例１）
【図２】板材の実施方法を示した説明図である。（実施例２）
【図３】板材の実施方法を示した説明図である。（実施例３）
【図４】板材の実施方法を示した説明図である。（実施例４）
【図５】板材の実施方法を示した説明図である。（実施例５）
【図６】板材の実施方法を示した説明図である。（実施例６）
【図７】板材の実施方法を示した説明図である。（実施例７）
【図８】板材の実施方法を示した説明図である。（実施例８）
【図９】板材の実施方法を示した説明図である。（実施例９）
【図１０】板材の実施方法を示した説明図である。（実施例１０）
【図１１】板材の実施方法を示した説明図である。（実施例１１）
【図１２】板材の実施方法を示した説明図である。（実施例１２）
【図１３】板材の実施方法を示した説明図である。（実施例１３）
【図１４】板材の実施方法を示した説明図である。（実施例１４）
【図１５】板材の固定方法を示した説明図である。（実施例１５）
【図１６】板材の実施方法を示した説明図である。（実施例１６）
【符号の説明】
【００５３】
１  板材
２  上部取り付け面
３  下部取り付け面
４  斜面部
５  貫通孔
６  抜け止め機能の有る孔
７  取り付け穴
８  さん
９  取り付け間隔
１０  止め具
１１  軸
１２  枠材
１３  枠材貫通孔
１４  つなぎ
１５  目印
１６  スリット
１７  長穴
１８  横長抜け止め機能の有る孔
１９  縦長抜け止め機能の有る孔
２０  採光穴
２１  通気材
２２  網材押さえ樹脂
２３  網材
２４  突出部
２５  切り込み
２６  複数の通気口
２７  リール
２８  設置条件に合う所定の長さ
２９  雨粒
３０  しずく
３１  流れ
３２  建造物内部に入る水
３３  横方向網目寸法
３４  縦方向網目寸法
３５  押さえ用接面部
３６  軸幅
３７  板厚
３８  縮み代
３９  ストッパー
４０  反時計回り
【図１】
2006118157.tif 000003
【図２】
2006118157.tif 000004
【図３】
2006118157.tif 000005
【図４】
2006118157.tif 000006
【図５】
2006118157.tif 000007
【図６】
2006118157.tif 000008
【図７】
2006118157.tif 000009
【図８】
2006118157.tif 000010
【図９】
2006118157.tif 000011
【図１０】
2006118157.tif 000012
【図１１】
2006118157.tif 000013
【図１２】
2006118157.tif 000014
【図１３】
2006118157.tif 000015
【図１４】
2006118157.tif 000016
【図１５】
2006118157.tif 000017
【図１６】
2006118157.tif 000018
【手続補正書】
【提出日】平成16年12月21日(2004.12.21)
【手続補正１】
【補正対象書類名】特許請求の範囲
【補正対象項目名】全文
【補正方法】変更
【補正の内容】
【特許請求の範囲】
【請求項１】
建造物開口部の複数の支持部材間あるいは枠に用いられる、通気貫通孔が一定間隔で複数設けられた板材であり、貫通孔の上部に建造物内部へ異物が入らなくできる遮蔽部を持ち、各々の遮蔽部より貫通孔内を通り板材の下方に繋がるつなぎを設けたルーバー板材。
【請求項２】
板材の整列方向が略水平または、略垂直方向であることを特徴とする上記請求項１に記載のルーバー板材。
【請求項３】
網面に用いられることを特徴とする上記請求項１、又は２に記載のルーバー板材。
【手続補正２】
【補正対象書類名】明細書
【補正対象項目名】００４６
【補正方法】変更
【補正の内容】
【００４６】
図１２は、本発明実施時の、一例として板材を網戸の網面に固定する参考図である。
（ａ）は、板材の組み合わせ時の斜視概要図である。
網戸の枠材１２に対応する長さに板材１を切断し、網材２３を接した状態にて裏よりフランジ付き止め具の軸１１を挿入して取り付けする。
なお、板材を所定の長さに切断して供給する場合には、板材の生産時あるいは、設置条件に合う所定の長さ２８にて工場などにて前もって切断しておく。板材を巻き込んだリール２７にてフープ供給する場合には、既存設備の所定の長さに合わせて現場などで切断する。
大きい円内図は小さい円内図の部分拡大概要図である。
板材１の上部に、抜け止め機能の有る孔６を持つ板材１と網材２３をはさんで、網目と板材１の抜け止め機能の有る孔６と合致する様に（フランジ付き）止め具１０の軸１１を挿入して取り付けする。また、できれば長手方向の両端は切断しやすい位置が望ましく、場合によっては、多数種類の取り付け間隔の違う板材の中から選択した方が良い場合がある。
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
建造物開口部の複数の支持部材間あるいは枠に用いられる通気貫通孔が一定間隔で複数設けられた板材であり、前記通気貫通孔の左右に、さんを残し、異物が入らない方向に傾斜する斜面部を板面より起こした形状の遮蔽部を持つ板材であり、各々の前記通気貫通孔の上部面から下方に異物が入らない方向に傾斜する遮蔽部を繋げ、その各々の遮蔽部よりさらに貫通孔内を通り板材の下部面に繋がるつなぎを設けたルーバー板材。
【請求項２】
板材の長手方向に切断の補助となる目印または、スリットが設けてあることを特徴とする上記請求項項１に記載のルーバー板材。
【請求項３】
板材をリールに巻いて供給することを特徴とする上記請求項項１、又は２のいずれか１項に記載のルーバー板材。
【請求項４】
複数の板材を使って板材を複数の段を並べ、板材基準面の左右または上下方向の一部を重ね合わせて複数整列させ、板材の基準面に設けられた穴と組み合わせする突出する凸部または止め具の軸を通すことで複数の板材が相互固定して遮蔽板集合板体にできることを特徴とする上記請求項項１、２、又は３のいずれか１項に記載のルーバー板材。
【請求項５】
板材に取り付け面が有り、さらに、取り付け穴または抜け止め機能の有る孔を設け、その、取り付け穴または抜け止め機能の有る孔と、組み合わせる軸を持つ止め具との構成において、止め具の軸を回転により着脱させることができることを特徴とする上記請求項１、２、３又は４のいずれか１項に記載のルーバー板材。
【請求項６】
通気材または、網面に用いられることを特徴とする上記請求項１、２、３、４又は５のいずれか１項に記載のルーバー板材。